(57)【特許請求の範囲】
【請求項１】
床下に凹設した収納庫の開閉蓋を収納庫の上方開口部に対して開閉自在に支持するリンク機構と、収納庫と開閉蓋の間に設けて、該開閉蓋の開閉動作を制御するガスシリンダとから成り、リンク機構は、開閉蓋底部の釣元側左右に、前後に長い帯板を一長辺を共有する様に直角配置して成るアングル型のブラケットを平行配置し、該ブラケットの開閉蓋底部より垂下した一方の帯板後端に、開閉蓋の閉鎖状態で、上方が下方より長い長短二本の上部及び下部リンクを略平行にして収納庫内へ向かって斜め下方に突出する様に上部及び下部リンクの上端を枢着すると共に、該上部及び下部リンクの下端を連接リンクにて枢着連結し、下部リンクの略中間部位を収納庫側壁より突設した枢軸を以て枢着し、該枢軸と同一水平線上で平行に収納庫側壁より突設した支軸に上部リンクの軸線上の下方に設けた長孔をスライド自在に装着し、開閉蓋の閉鎖状態で支軸に上部リンクの長孔の上端を支軸に接触させて成り、開閉蓋の開放に伴い起立方向へ回動する上部リンクが起立度合を増すことで長孔が支軸に対し上方へスライドして支軸に長孔の下端が接触するまで上部リンクを突き上げる様に成し、前記一方の帯板において、上部リンクの上端との枢着部より前方に所定間隔置きに複数貫設したガスシリンダのテール部を枢着可能な取付け孔の何れかに前記テール部を枢着すると共に、ガスシリンダのヘッド部より伸縮自在に設けたピストンロッドの先端を収納庫側壁の適所に突設したピンを以て枢着したことを特徴とする床下収納庫用開閉蓋の取付構造。
【請求項２】
上記支軸は表面硬化処理を施し、上記長孔の支軸が摺接する内周面に平滑処理を施したことを特徴とする請求項１記載の床下収納庫用開閉蓋の取付構造。
【発明の詳細な説明】
【技術分野】
【０００１】
本発明は、床下収納庫用開閉蓋の取付構造に関する。
【背景技術】
【０００２】
特許文献１には、床下に凹設した収納庫の開閉蓋を収納庫の上方開口部に対して開閉自在に支持するリンク機構と、収納庫と開閉蓋の間に設けて、該開閉蓋の開閉動作を制御するガスシリンダとから成る床下収納庫用開閉蓋の取付構造が開示されている。
【０００３】
この取付構造は、開閉蓋の閉鎖状態で、その釣元（開放基端）底部の左右両側の夫々に設けた固定リンクから、上方が下方より長い長短二本の上部及び下部リンクを略平行にして収納庫内へ向かって斜め下方に突設すると共に、上部及び下部リンクの下端を連接リンクにて枢着連結し、下部リンクの略中間部位を収納庫側壁より突設した枢軸を以て枢着し、該枢軸と同一水平線上で平行に収納庫側壁より突設した支軸にスライド自在に装着する様に上部リンクの軸線上の下方に設けた長孔の上端を支軸に接触させて成り、開閉蓋の開放に伴い起立方向へ回動する上部リンクが起立度合を増すことで長孔が支軸に対し上方へスライドして支軸に長孔の下端が接触するまで上部リンクを突き上げる様に成したリンク機構を設けることにより、上部リンクの起立方向への回動に伴い連接リンクは開閉蓋が全開するまで常に下部リンクを起立させる方向へ押圧することになり、開閉蓋の左右のリンク機構は、開放初期時から全開するまで同期的に動作するため、開閉蓋をスムーズに開放することができる。
【０００４】
しかも、開閉蓋の開放時には、ガスシリンダのピストンロッドの伸長により開閉蓋を比較的軽い力で引き上げられ、又開閉蓋の閉鎖時には、一定以上の押し下げ力によりピストンロッドを緩やかにガスシリンダ内へ後退させながら閉鎖できるため、開閉蓋の開閉操作を容易に行うことができ、特に開閉蓋の全開時には、その状態をガスシリンダによって保持でき、開閉蓋が不用意に倒れないので安全である。
【先行技術文献】
【特許文献】
【０００５】
【特許文献１】特許第３９１０５１１号
【発明の概要】
【発明が解決しようとする課題】
【０００６】
ところで、上記開閉蓋は、例えば畳み一畳の大きさ程度の矩形状であれば、開閉蓋の対向する短辺の夫々にリンク機構とガスシリンダを取付けた所謂横開きタイプか、開閉蓋の対向する長辺の夫々にリンク機構とガスシリンダを取付けた所謂縦開きタイプの何れかのタイプの開閉蓋を選択できる。
【０００７】
そして、上記リンク機構とガスシリンダは、何れのタイプにあっても当然ながら開閉蓋の釣元側に取付けられるから、横開きタイプよりも釣元から手先までの間隔が長い縦開きタイプの方が開閉蓋の開放力を必要とする。
【０００８】
このため、ガスシリンダの伸長力が働く位置を開閉蓋の釣元からなるべく離れた手先側へ枢着した方が梃子の原理でガスシリンダの能力をある程度（前記手先側へ変更されるガスシリンダの取付け位置と変更のないピストンロッドのストロークによっても開閉蓋の開閉が維持できる）までは上げずに使用することができる。
【０００９】
しかしながら、上記特許文献１における上記取付構造では、ガスシリンダの取付け位置が変更可能に構成されていないため、リンク機構に対するガスシリンダの取付け位置の変更調整が容易でない。
【００１０】
そこで、本発明では、開閉蓋の大きさや重量、並びに縦開き又は横開きのタイプ別による開閉蓋に対するリンク機構の取付け位置に応じてガスシリンダーを簡単容易に位置決めして取付けることができる床下収納庫用開閉蓋の取付構造を提供することを目的としている。
【課題を解決するための手段】
【００１１】
上記課題に鑑み、本発明の床下収納庫用開閉蓋の取付構造は、床下に凹設した収納庫の開閉蓋を収納庫の上方開口部に対して開閉自在に支持するリンク機構と、収納庫と開閉蓋の間に設けて、該開閉蓋の開閉動作を制御するガスシリンダとから成り、リンク機構は、開閉蓋底部の釣元側左右に、前後に長い帯板を一長辺を共有する様に直角配置して成るアングル型のブラケットを平行配置し、該ブラケットの開閉蓋底部より垂下した一方の帯板後端に、開閉蓋の閉鎖状態で、上方が下方より長い長短二本の上部及び下部リンクを略平行にして収納庫内へ向かって斜め下方に突出する様に上部及び下部リンクの上端を枢着すると共に、該上部及び下部リンクの下端を連接リンクにて枢着連結し、下部リンクの略中間部位を収納庫側壁より突設した枢軸を以て枢着し、該枢軸と同一水平線上で平行に収納庫側壁より突設した支軸に上部リンクの軸線上の下方に設けた長孔をスライド自在に装着し、開閉蓋の閉鎖状態で支軸に上部リンクの長孔の上端を支軸に接触させて成り、開閉蓋の開放に伴い起立方向へ回動する上部リンクが起立度合を増すことで長孔が支軸に対し上方へスライドして支軸に長孔の下端が接触するまで上部リンクを突き上げる様に成し、前記一方の帯板において、上部リンクの上端との枢着部より前方に所定間隔置きに複数貫設したガスシリンダのテール部を枢着可能な取付け孔の何れかに前記テール部を枢着すると共に、ガスシリンダのヘッド部より伸縮自在に設けたピストンロッドの先端を収納庫側壁の適所に突設したピンを以て枢着したことを特徴とする。
また、上記支軸は表面硬化処理を施し、上記長孔の支軸が摺接する内周面に平滑処理を施施すのがより望ましい。
【発明の効果】
【００１２】
要するに本発明は上記構成から成るので、床下収納庫用開閉蓋の取付に当たって、開閉蓋の大きさや重量、縦開き又は横開きタイプなどに対応して選択される性能（ピストンロッドを最伸長させたガスシリンダの全長とピストンロッドのストロークや伸長力など）を有するガスシリンダの取付け位置を、開閉蓋に取付けたリンク機構のブラケットの取付け孔の何れかにテール部を枢着すれば、ピストンロッドの先端の収納庫側壁における取付け位置は自ずと決まるため、多種多様な形態を有する何れの開閉蓋に対しても一形態のリンク機構で以てガスシリンダを収納庫と開閉蓋の間に簡単容易に架設でき、開閉蓋の大きさや重量、縦開き又は横開きタイプなどに対応して重くもなく、軽すぎることのない良好な開閉操作をもたらす床下収納庫用開閉蓋の取付構造を提供できる。
よって、本発明によれば、開閉蓋の支点となる釣元からなるべく離れた取付け孔にガスシリンダのテール部を枢着することにより、梃子の原理で伸長力が小さいガスシリンダでも開放させる様に調整できるから、例えば大型で重い縦開きタイプに対しても、ガスシリンダが開閉蓋を開放するに十分な長さを有するものであれば、ガスシリンダのテール部に対する取付け孔を選択変更すると共に、ピストンロッドの先端を収納庫側壁の適所に枢着することにより、ガスシリンダを変更することなく、大きさや重量、縦開き又は横開きタイプなどが異なる複数の形態の開閉蓋を開閉操作に支障なく取付けることもできる。
しかも、本発明によれば、上記従来品に比し開閉蓋底部に固定されるブラケットが前後に長いため、特に木製を基体とする開閉蓋の反りを防止できる。
【００１３】
上記支軸は表面硬化処理を施すことによって支軸の表面に窒化皮膜を形成して支軸の硬度を向上でき、上記長孔の支軸が摺接する内周面に平滑処理を施すことにより、平滑性が施された長孔内での上記の様に硬質化された支軸の摺動がよりスムーズとなり、支軸の長孔との摺接による摩耗を極力防止でき、優れた耐久性を確保できる等その実用的効果甚だ大である。
【図面の簡単な説明】
【００１４】
【図１】横開きタイプの開閉蓋を有する床下収納庫の平面図である。
【図２】図１の要部拡大図である。
【図３】図１のＡ−Ａ断面図である。
【図４】図１のＢ−Ｂ断面図である。
【図５】横開きタイプの開閉蓋の全開状態を示す断面図である。
【図６】縦開きタイプの開閉蓋を有する床下収納庫の平面図である。
【図７】図６のＣ−Ｃ断面図である。
【図８】縦開きタイプの開閉蓋の全開状態を示す断面図である。
【発明を実施するための形態】
【００１５】
以下本発明の実施の一形態例を図面に基づいて説明する。
本発明に係る床下収納庫用開閉蓋の取付構造は、床下に凹設した収納庫１の開閉蓋２を収納庫１の上方開口部３に対して開閉自在に支持するリンク機構４と、収納庫１と開閉蓋２の間に設けて、該開閉蓋２の開閉動作を制御するガスシリンダ５とから構成されている。
【００１６】
開閉蓋２は床面の一部と成る方形板状に形成され、図示例では矩形状に形成したものを示し、図１〜５には開閉蓋２の対向する短辺2aの夫々にリンク機構４とガスシリンダ５を取付けた横開きタイプの開閉蓋２を有する収納庫１を示し、図６〜８には開閉蓋２の対向する長辺2bの夫々にリンク機構４とガスシリンダ５を取付けた縦開きタイプの開閉蓋２を有する収納庫１を示し、これらの各種タイプに限らず全ての開閉蓋２に対して左右相称ではあるが同一のリンク機構４を使用している（図１、４、６参照）。
また、開閉蓋２の手先Ｄ上面には、回転取手Ｐを設けている。
【００１７】
リンク機構４は、開閉蓋２底部の釣元（開放基端）D1側左右の夫々に、前後に長い帯板6a、6bを一長辺を共有する様に直角配置して成るアングル型のブラケット６を平行配置し、該ブラケット６の開閉蓋２底部より垂下した一方の帯板6a後端に、開閉蓋２の閉鎖状態で、上方が下方より長い長短二本の上部及び下部リンク７、８を略平行にして収納庫１内へ向かって斜め下方に突出する様に、上部及び下部リンク７、８の各上端を枢着すると共に、該上部及び下部リンク７、８の下端を所定長さの連接リンク９にて枢着連結している。
【００１８】
ブラケット６は、これの水平な他方の帯板6bを開閉蓋２底部の釣元D1側左右に接合してビス止めすることにより固定され、一方の帯板6aにおいて、上部リンク７の上端との枢着部より前方には、ガスシリンダ５のテール部G1を枢着可能な取付け孔Ｈ、H1…を所定間隔置きに複数貫設している。
【００１９】
そして、下部リンク８の中間部より下方寄り部位を、帯板6aと平行な収納庫側壁1aに突設した枢軸10を以て枢着し、該枢軸10と同一水平線上で平行に収納庫側壁1aより突設した支軸11に上部リンク７の軸線上の下方に設けた長孔7aをスライド自在に装着し、開閉蓋２の閉鎖状態で長孔7aの上端を支軸11に接触する様に成している。
【００２０】
この様に構成されたリンク機構４は、開閉蓋２の開放に伴い起立方向へ回動する上部リンク７が起立度合を増すことで長孔7aは支軸11に対し上方へスライドして支軸11に長孔7aの下端が接触するまで上部リンク７が突き上がり、開閉蓋２の開放時に常に連接リンク９が下部リンク８を上部リンク７と同じ開閉蓋２の開放方向へ回動する様に押圧して開閉蓋２の左右のリンク機構４を同期的に動作させる様にしている。
【００２１】
上記の様に、支軸11に長孔7aの下端が接触するまで上部リンク７が突き上がると、開閉蓋２は直立して全開することになる（図示せず）が、図示例では、長孔7a下端が支軸11に接触する手前の近接したところでガスシリンダ５が最伸長して開閉蓋２を床面に対し７０度傾斜した状態を保持する様に設定され、かかる状態を全開としている（図５、８参照）。
【００２２】
枢軸10及び支軸11は、収納庫側壁1aの上方適所に接合した前後に長い正面視横長略矩形状の基板12において、その中央が長手方向に沿って段丘状に膨出した段丘面12ａより突設している。
【００２３】
支軸11は表面硬化処理、例えば、塩浴軟窒化処理（タフトライド（登録商標）処理、又はイソナイト（登録商標）処理とも称する。）を施し、これによって支軸11の表面に窒化皮膜を形成して支軸11の硬度を向上している。
【００２４】
また、支軸11にスライド自在に装着される上部リンク７の長孔7aは、支軸11が摺接する内周面をバフや研磨ジスクなどの適宜研磨工具による平滑処理を施すことによって、平滑性が施された長孔7a内での上記の様に硬質化された支軸11の摺動がよりスムーズとなり、支軸11の長孔7aとの摺接による摩耗を極力防止し、優れた耐久性を確保する。
【００２５】
しかも、長孔7aは、上部リンク７の軸線上に沿って所定長さ形成するだけであるから、上部リンク７に対する長孔7aの位置設定も容易であると共に、片側の収納庫側壁1aへの枢軸10と支軸11の位置設定も同一水平線上で所定間隔を置いて突設するだけのため、左右両側の収納庫側壁1aにおける枢軸10同士と支軸11同士の設定も比較的容易に行え、この様に枢軸10と支軸11の左右の収納庫側壁1aへの位置設定が確実に行えることにより、左右のリンク機構４を同期できる様に簡便に設定できる。
【００２６】
ガスシリンダ５は、これのヘッド部Ｇよりピストンロッド5aを伸縮自在に設けると共に、ガスシリンダ５内部に封入したガスの圧力によりピストンロッド5aを伸長する様に付勢したものである。
【００２７】
そして、ガスシリンダ５のテール部G1を開閉蓋２より垂下した帯板6aにおける取付け孔Ｈ、H1…の何れかに枢着すると共に、ピストンロッド5aの先端を収納庫側壁1aの適所に接合した支持板13より突設したピン14を以て枢着している。
【００２８】
収納庫１への開閉蓋２の取付に当たっては、開閉蓋２の大きさや重量、縦開き又は横開きタイプなどに対応して選択される性能（ピストンロッド5aを最伸長させたガスシリンダ５の全長とピストンロッド5aのストロークや伸長力など）を有するガスシリンダ５の取付け位置を、開閉蓋２に取付けたリンク機構４のブラケット６の取付け孔Ｈ、H1…の何れかにテール部G1を枢着すれば、ピストンロッド5aの先端の収納庫側壁1aにおける取付け位置が自ずと決まる。
【００２９】
よって、多種多様な形態を有する何れの開閉蓋２に対しても一形態のリンク機構４で以てガスシリンダ５を収納庫１と開閉蓋２の間に簡単容易に架設でき、開閉蓋２の大きさや重量、縦開き又は横開きタイプなどに対応して重くもなく、軽すぎることのない良好な開閉操作をもたらすことができる。
【００３０】
また、開閉蓋２の支点となる釣元D1からなるべく離れた取付け孔Ｈ、H1…にガスシリンダ５のテール部G1を枢着することにより、梃子の原理で伸長力が小さいガスシリンダ５でも開放させる様に調整できるから、例えば大型で重い縦開きタイプに対しても、ガスシリンダ５が開閉蓋２を開放するに十分な長さを有するものであれば、ガスシリンダ５のテール部G1に対する取付け孔Ｈ、H1…を選択変更すると共に、ピストンロッド5aの先端を収納庫側壁1aの適所に枢着することにより、ガスシリンダ５を変更することなく、大きさや重量、縦開き又は横開きタイプなどが異なる複数の形態の開閉蓋２を開閉操作に支障なく取付けることもできる。
【００３１】
しかも、このリンク機構４によれば、従来品（特許文献１）に比し開閉蓋２底部に固定されるブラケット６が前後に長いため、特に木製を基体とする開閉蓋２の反りを防止できる。
【００３２】
なお、リンク機構４とガスシリンダ５は、開閉蓋２の閉鎖に対応した状態での上部が、開閉蓋２の釣元D1に対応する収納庫１の後側壁1bと、収納庫側壁1aと、これらの夫々に対向配置させた平面視Ｌ字状の枠板15とで囲繞されている。
【００３３】
上記の様に構成された床下収納庫用開閉蓋の取付構造にあっては、開閉蓋２の閉鎖状態では、図３、７に示す様に、上部及び下部リンク７、８は、開閉蓋２底部の帯板6aから斜め下方に略平行状態で突出し、連接リンク９は略水平状態に保持され、長孔7aの上端が支軸11に接触しており、又ガスシリンダ５のピストンロッド5aは収縮状態を保持している。
【００３４】
そして、手先Ｄの回転取手Ｐを引出して開閉蓋２を開放すると、ガスシリンダ５のピストンロッド5aの伸長により開閉蓋２の開放動作が助勢され、開閉蓋２は比較的軽い力で引き上げられ、開放初期では、開閉蓋２に上端が枢着連結された上部及び下部リンク７、８は、枢軸10及び支軸11を支点として起立する（開閉蓋開放）方向へ回動する。
【００３５】
かかる時点より、連接リンク９は上部リンク７の起立方向への回動に伴い開閉蓋２が全開するまで常に下部リンク８を起立させる方向へ押圧している。
【００３６】
開閉蓋２の開放度合に伴って上部及び下部リンク７、８が起立度合を増すと、長孔7aは支軸11に対し上方へスライドするため、上部リンク７は起立する様に回転しながら上方へ突き上がる。
【００３７】
そして、上部リンク７の長孔7aに沿った上方への変位により、ガスシリンダ５の最伸長に対応した位置まで長孔7aの下端が支軸11に近接すると、開閉蓋２は所定開度（図示例では７０度）を保持した状態で全開し（図５、８参照）、開閉蓋２の全開時には、その状態をガスシリンダ５によって保持でき、開閉蓋２が不用意に倒れないので安全である。
【００３８】
また、開閉蓋２の閉鎖時には、一定以上の押し下げ力で以て全開状態の開閉蓋２を下方へ押し下げることにより、ピストンロッド5aを緩やかにガスシリンダ５内へ後退させながらリンク機構４は上記と逆の手順で倒伏するため、開閉蓋２を支障なく簡単に閉鎖できる。
【符号の説明】
【００３９】
１        収納庫
1a        収納庫側壁
２        開閉蓋
３        上方開口部
４        リンク機構
５        ガスシリンダ
5a        ピストンロッド
６        ブラケット
6a、6b    帯板
７        上部リンク
7a        長孔
８        下部リンク
９        連接リンク
10        枢軸
11        支軸
14        ピン
D1        釣元
Ｇ        ヘッド部
G1        テール部
Ｈ、H1…  取付け孔
【要約】
【課題】開閉蓋の大きさや重量、並びに縦開き又は横開きのタイプ別による開閉蓋に対するリンク機構の取付け位置に応じてガスシリンダーを簡単容易に位置決めして取付ける。
【解決手段】床下に凹設した収納庫１の開閉蓋２を収納庫１の上方開口部３に対して開閉自在に支持するリンク機構４と、収納庫１と開閉蓋２の間に設けて、該開閉蓋２の開閉動作を制御するガスシリンダ５とから成り、リンク機構４において、開閉蓋２底部の左右に平行配置した帯板6aの前方にガスシリンダ５のテール部G1の枢着可能な取付け孔Ｈ、H1…を所定間隔置きに複数貫設し、該取付け孔Ｈ、H1…の何れかに前記テール部G1を枢着すると共に、ガスシリンダ５のヘッド部Ｇより伸縮自在に設けたピストンロッド5aの先端を収納庫側壁1aの適所に突設したピン14を以て枢着する。
【選択図】図５【図１】
0006869573.tif 000002
【図２】
0006869573.tif 000003
【図３】
0006869573.tif 000004
【図４】
0006869573.tif 000005
【図５】
0006869573.tif 000006
【図６】
0006869573.tif 000007
【図７】
0006869573.tif 000008
【図８】
0006869573.tif 000009